(57)【要約】    【課題】      通信時間あるいは通信料金に関する設定値を通信中に設定することで、通信時間／料金を使用条件下に応じて管理しやすくすること。    【解決手段】  通信端末装置において、入力部１１１は、通信中に、通信時間に関する閾値を定める設定値の入力を受けつけ、記憶部１１２は、設定値を記憶し、計測部１１３は、通信時間を計測し、検出部１１４は、計測した通信時間と前記設定値とを比較して、通信時間が設定値を超過したことを検出し、情報通知部１２０は、通信時間が設定値を超過したことを検出したときに、利用者へ通信時間の超過を通知し、通信切断部１３０は、通信時間が設定値を超過したことを検出したときに、通信を断絶する。  【選択図】      図１
2006074494.tif 000002
【特許請求の範囲】
【請求項１】
通信中に、通信時間に関する閾値を定める設定値の入力を受けつける入力手段と、
前記設定値を記憶する記憶手段と、
通信時間を計測する計測手段と、
計測した通信時間と前記設定値とを比較して、通信時間が設定値を超過したことを検出する検出手段と、
前記通信時間が設定値を超過したことを検出したときに、利用者へ通信時間の超過を通知する情報通知手段と、
を有することを特徴とする通信端末装置。
【請求項２】
通信中に、通信時間に関する閾値の入力を受けつける入力手段と、
前記閾値を設定値として記憶する記憶手段と、
通信時間を計測する計測手段と、
計測した通信時間と前記設定値とを比較して、通信時間が設定値を超過したことを検出する検出手段と、
前記通信時間が設定値を超過したことを検出したときに、通信を断絶する通信切断手段と、
を有することを特徴とする通信端末装置。
【請求項３】
前記通信時間が設定値を超過したことを検出したときに、通信を断絶する通信切断手段を、更に備えることを特徴とする請求項１記載の通信端末装置。
【請求項４】
前記設定値は、通信時間の閾値であることを特徴とする請求項１から請求項３のいずれかに記載の通信端末装置。
【請求項５】
前記設定値は、通信料金の閾値であり、
上記計測手段は、通信時間に基づいて通信料金を計測することを特徴とする請求項１から請求項３のいずれかに記載の通信端末装置。
【請求項６】
前記設定値は、通信料金の閾値と通信料金の閾値とを含み、
上記計測手段は、通信時間を計測するとともに、通信時間に基づいて通信料金を計測することを特徴とする請求項１から請求項３のいずれかに記載の通信端末装置。
【請求項７】
通信中に、日時を含むイベント情報の入力を受けつける入力手段と、
前記イベント情報を記憶する記憶手段と、
イベントが発生する日時を検出する検出手段と、
前記イベントが発生する日時を検出したときに、利用者へイベント情報を通知する情報通知手段と、を更に備えることを特徴とする請求項１から請求項３のいずれかに記載の通信端末装置。
【請求項８】
通信中に、日時を含むイベント情報の入力を受けつける入力手段と、
前記イベント情報を記憶する記憶手段と、
イベントが発生する日時を検出する検出手段と、
前記イベントが発生する日時を検出したときに、利用者へイベント情報を通知する情報通知手段と、
を有することを特徴とする通信端末装置。
【請求項９】
前記記憶手段は、イベントが発生する日時より所定の時間前の事前通知時刻を保持し、
前記検出手段は、前記事前通知時刻を検出し、
前記情報通知手段は、イベントの発生を予告することを特徴とする請求項７または請求項８記載の通信端末装置。
【請求項１０】
検出手段がイベントの発生を検出したときに、通信を断絶する通信切断手段を、更に備えることを特徴とする請求項７から請求項９のいずれかに記載の通信端末装置。
【請求項１１】
前記通信切断手段は、通信継続の入力を受けつけ、通信切断を中止することを特徴とする請求項２、請求項３、請求項７から請求項１０のいずれかに記載の通信端末装置。
【請求項１２】
前記情報通知手段は、音、振動、文字、発光のいずれかを用いて情報と通知することを特徴とする請求項１から請求項１１のいずれかに記載の通信端末装置。
【請求項１３】
通信中に、通信時間に関する閾値を定める設定値の入力を受けつける入力工程と、
前記設定値を記憶領域へ記憶する記憶工程と、
通信時間を計測する計測工程と、
計測した通信時間と前記設定値とを比較して、通信時間が設定値を超過したことを検出する検出工程と、
前記通信時間が設定値を超過したことを検出したときに、利用者へ通信時間の超過を通知する情報通知工程と、
を有することを特徴とする通信管理方法。
【発明の詳細な説明】
【技術分野】
【０００１】
本発明は、情報通知機能を備える通信端末装置および通信管理方法に関する。
【背景技術】
【０００２】
従来、通信端末装置に付加される通信時間／通信料金の情報を通知する装置および通信制御方法としては、特許文献１に記載されているものがある。特許文献１では、通話時間の管理を効果的に行うことが可能な電話機における通話管理方法を提供することを目的とし、発呼時における通話時間を通話毎に計測し、通話毎に計測した通話時間をあらかじめ設定した所定の期間積算し、積算した通話時間があらかじめ積算設定した通話時間を越えた場合には、その旨を通知する。また、呼毎に通話管理を行う通話時間をあらかじめ設定すると、前記発呼時における通話時間がこの設定した通話時間を越えた場合、その旨を通知する通信管理方法を開示している。
【特許文献１】特開平１１−３３１４４１号公報
【発明の開示】
【発明が解決しようとする課題】
【０００３】
通信装置において、装置利用者が通信時リアルタイムに通信料金および通信時間を確認する手段は存在する。しかし、事前に通知通信料金および通知通信時間を設定しているため、装置利用者がその都度、使用条件に応じて設定を変更することは不可能であり、通信料金および通信時間の管理が困難であった。また、通信中に、通信料金および通信時間設定を変更することは困難であった。さらに、装置利用者のスケジュールを管理し通信時においてもイベント情報をもとにイベント発生を通知／通信断する手段や、誤操作などによる自動通信断手段がなかった。
【０００４】
本発明は、かかる点に鑑みてなされたものであり、通信中において、管理したい通信時間、通信料金等の入力を受けつける通信端末装置および通信管理方法を提供することを目的とする。また、利用者のスケジュール管理を通信中にイベント情報を登録することできる通信端末装置および通信管理方法を提供することを目的とする。
【課題を解決するための手段】
【０００５】
本発明の通信端末装置は、通信中に、通信時間に関する閾値を定める設定値の入力を受けつける入力手段と、前記設定値を記憶する記憶手段と、通信時間を計測する計測手段と、計測した通信時間と前記設定値とを比較して、通信時間が設定値を超過したことを検出する検出手段と、前記通信時間が設定値を超過したことを検出したときに、利用者へ通信時間の超過を通知する情報通知手段と、を有する構成を採る。
【発明の効果】
【０００６】
本発明によれば、通信中において、管理したい通信時間、通信料金等の入力を受けつけることができる。また、利用者のスケジュール管理を通信中にイベント情報を登録することができる。
【発明を実施するための最良の形態】
【０００７】
以下、本発明の実施の形態について、図面を参照して詳細に説明する。
【０００８】
（実施の形態１）
図１は、本発明の実施の形態１に係る通信端末装置の構成を示すブロック図である。
通信端末装置１００は音声通話もしくはデータ通信を行う。例えば、携帯電話等が一例としてあげられる。また、本実施の形態では、設定値として、通知時間間隔と通信断時間間隔とを用いる。通知時間間隔は、通信時間が設定値の時間を超えた場合に装置利用者へ時間の経過を通知する時間間隔を指定する閾値である。通信断時間間隔は、通信時間が設定値の時間を超えた場合に通信断とする時間間隔を指定する閾値である。
【０００９】
通信時間計算部１１０は任意に設定された通知時間間隔／通信断時間間隔を元に通信時の時間を計測し、通知時間間隔／通信断時間間隔の設定値を超過した場合、通知時間情報もしくは通信断情報を出力する。
【００１０】
通信時間計算部１１０は、入力部１１１、記憶部１１２、計測部１１３、並びに、検出部１１４を備える。
【００１１】
入力部１１１は、設定値を入力し、記憶部１１２へ記憶する。また、設定値の入力を検出すると、計測部１１３へ通信時間をリセットすることを指示する。設定値の入力は、通知時間間隔／通信断時間間隔の両方あるいはいずれか一方のどちらでもかまわない。入力部１１１は、入力された設定値を記憶させる。
【００１２】
記憶部１１２は、設定値を記憶する記憶領域である。本実施の形態では、通知時間間隔と通信断時間間隔とを記憶する。
【００１３】
計測部１１３は、通信時間を計算する。なお、入力部１１１の指示により、計算中の通信時間がリセットされる。
【００１４】
検出部１１４は、計測部１１３が計測する通信時間が設定値を超えた場合、情報通知部１２０へ超過情報を通知する。本実施の形態では、通知時間間隔を越えた場合は、超過情報として通知時間情報を通知し、通信断時間間隔を越えた場合は、超過情報として通信断情報を通知する。
【００１５】
情報通知部１２０は、検出部１１４の通知に基づいて、ユーザへ音／振動／文字／発光のいずれかにより装置利用者に超過情報を通知する。超過情報は、例えば、１ビットのデータで通知され、予め用意された音／振動／文字／発光を通知するという動作を取ることが可能である。その他の方法であってもよい。また、通信断情報を通知された場合、通信断情報を通信切断部１３０に送信する。
【００１６】
通信切断部１３０は受信した通信断情報を基に通信を自動切断する。
【００１７】
次いで、上記構成を有する通信端末装置１００の動作について、図２に示すフロー図を用いて説明する。図２は、本実施の形態の通信端末装置１００の動作の一例を示す図である。この動作は、設定値の入力動作によって開始する例を示している。
【００１８】
まず、ステップ（以下、「ＳＴ」と省略する）ＳＴ４０１で通信中でない場合、ＳＴ４０２にて事前に通知時間間隔／通信断時間間隔が設定される。入力部１１１は入力された通知時間間隔／通信断時間間隔を記憶部１１２へ記憶する。その後、ＳＴ４０３にて通信が開始されると、ＳＴ４０５にて計測部１１３は通信時間計測を行う。
【００１９】
ＳＴ４０１で通信中である場合、ＳＴ４０４にて通信中に通知時間間隔／通信断時間間隔の設定が任意に設定できる。入力部１１１は、上記と同様に通知時間間隔／通信断時間間隔を記憶部１１２へ記憶し、計測部１１３へ通信時間のリセットを指示する。計測部１１３は、計測中の通信時間を零にリセットする。その後、ＳＴ４０５にて計測部１１３は、通信時間計測を行う。
【００２０】
ＳＴ４０６で、検出部１１４は、通信時間が設定値を超過する時間超過を監視し、時間超過が発生した場合、通知時間情報もしくは通信断情報を情報通知部１２０へ出力する。
【００２１】
ＳＴ４０７で、情報通知部１２０は、受信した通知時間情報もしくは通信断情報を音／振動／文字／発光により装置利用者に情報を通知する。またＳＴ４０８にて、通信断時間が超過発生している場合、情報通知部１２０は、通信断情報を通信切断部１３０へ出力する。
【００２２】
ＳＴ４０９で、通信切断部１３０は受信した通信断情報を元に通信を切断する。
【００２３】
この構成によれば、装置利用者が設定値を通信中に設定することで、通信時間を使用条件下に応じて管理しやすくなる。また、誤操作等による利用者の意図しない通信を自動切断することが可能となる。例えば、通知時間間隔を３分と設定すると、通信時には、３分おきに装置利用者に対して通信経過時間を知らせることになる。また、通信断時間間隔を１５分と設定すると通信開始後１５分後に、装置利用者に通信断が通知され、自動的に通信が切断されることになる。また、通信中、あと、５分で会議が始まる場合、通信中でも、通知時間間隔を５分と設定することによって、会議の開示時間を装置利用者が認識できる。このように、装置利用者の時間管理に使用することが可能である。
【００２４】
なお、本実施の形態では、計測部１１３が計測する通信時間は、設定値が入力された解きにリセットする場合を説明したが、通信時間をリセットせずに、継続して計測してもよい。
【００２５】
また、通信中に設定値を入力する場合、予め通信端末装置１００に割り付けられたボタン（例えば、＃など）を押すことによって、設定値を入力する画面が展開し、設定値を入力するように、装置利用者へ入力を促すことが可能である。
【００２６】
（実施の形態２）
実施の形態２では、通信端末装置が料金を管理する場合を説明する。図３は、本発明の実施の形態２に係る通信端末装置の構成を示すブロック図である。なお、図１と同じ符号を付けたものは、同じ名称、同様の機能を有するため説明を省略する。通信端末装置２００は、実施の形態１と同様に、音声通話もしくはデータ通信を行う。また、本実施の形態では、設定値として、通知料金間隔と通信断料金間隔とを用いる。通知料金間隔は、通信時間にかかる料金が設定値の料金を超えた場合に装置利用者へ料金の超過を通知する料金を指定する閾値である。通信断料金間隔は、通信時間にかかる料金が設定値の料金を超えた場合に通信断とする料金を指定する閾値である。
【００２７】
通信料金計算部２１０は任意に設定された通知料金間隔／通信断料金間隔を元に通信時の料金を計測し、通知料金間隔／通信断料金間隔の設定値を超過した場合、通知料金情報もしくは通信断料金情報を出力する。
【００２８】
通信料金計算部２１０は、入力部２１１、記憶部２１２、計測部２１３、並びに、検出部１４を備える。
【００２９】
入力部２１１は、設定値を入力し、記憶部２１２へ記憶する。また、設定値の入力を検出すると、計測部２１３へ通信料金をリセットすることを指示する。設定値の入力は、通知料金間隔／通信断料金間隔の両方あるいはいずれか一方のどちらでもかまわない。入力部２１１は、入力された設定値を記憶させる。
【００３０】
記憶部２１２は、設定値を記憶する記憶領域である。本実施の形態では、通知料金間隔と通信断料金間隔とを記憶する。
【００３１】
計測部２１３は、通信料金を計算する。なお、入力部２１１の指示により、計算中の通信料金がリセットされる。
【００３２】
検出部２１４は、計測部２１３が計測する通信料金が設定値を超えた場合、情報通知部１２０へ超過情報を通知する。本実施の形態では、通知料金間隔を越えた場合は、超過情報として通知料金情報を通知し、通信断料金間隔を越えた場合は、超過情報として通信断情報を通知する。
【００３３】
次いで、上記構成を有する通信端末装置２００の動作について、図４に示すフロー図を用いて説明する。図４は、本実施の形態の通信端末装置２００の動作の一例を示す図である。この動作は、設定値の入力動作によって開始する例を示している。
【００３４】
まず、ステップ（以下、「ＳＴ」と省略する）ＳＴ６０１通信中でない場合、ＳＴ６０２にて事前に通知料金間隔／通信断料金間隔が設定される。入力部２１１は入力された通知料金間隔／通信断料金間隔を記憶部２１２へ記憶する。その後、ＳＴ６０３にて通信が開始されると、ＳＴ６０５にて計測部２１３は通信料金計測を行う。
【００３５】
ＳＴ６０１で通信中である場合、ＳＴ６０４にて通信中に通知料金間隔／通信断料金間隔の設定が任意に設定できる。入力部２１１は、上記と同様に通知料金間隔／通信断料金間隔を記憶部２１２へ記憶し、計測部２１３へ通信時間のリセットを指示する。計測部２１３は、計測中の通信時間を零にリセットする。その後、ＳＴ６０５にて計測部２１３は通信料金計測を行う。
【００３６】
ＳＴ６０６で、検出部２１４は、料金超過を監視し、料金超過が発生した場合、通知料金情報もしくは通信断料金情報を情報通知部１２０へ出力する。
【００３７】
ＳＴ６０７で、情報通知部１２０は、受信した通知料金情報もしくは通信断料金情報を音／振動／文字／発光により装置利用者に情報を通知する。またＳＴ６０８にて、通信断料金情報が超過発生した場合、情報通知部１２０は、通信断料金情報を通信切断部１３０へ出力する。
【００３８】
ＳＴ６０９で、通信切断部１３０は受信した通信断情報を基に通信を切断する。
【００３９】
この構成によれば、装置利用者が通知通信料金を通信中に設定することで、通信料金を使用条件下に応じて管理しやすくなる。また、誤操作等による利用者の意図しない通信を自動切断することが可能となる。例えば、通知料金間隔を２００円、通信断料金間隔を２０００円と設定した場合、課金状況が２００円おきに装置利用者へ通知され、通信後課金状況が２０００円を超過すると、装置利用者へ通信断が通知され、自動的に通信が切断される。このように、装置利用者の通信の料金管理に使用することが可能となる。
【００４０】
（実施の形態３）
実施の形態３では、通信端末装置がイベントの発生を管理する場合を説明する。図５は、本発明の実施の形態３に係る通信端末装置の構成を示すブロック図である。なお、図１と同じ符号を付けたものは、同じ名称、同様の機能を有するため説明を省略する。通信端末装置３００は、実施の形態１と同様に、音声通話もしくはデータ通信を行う。また、本実施の形態では、実施の形態１並びに実施の形態２における設定値に替えて、イベント情報を用いる。イベント情報は、日時情報（イベント発生時刻）を含むイベントの発生と知らせる情報である。例えば、「２００４年０８月０３日、１５：３０  打合せ」というような情報である。
【００４１】
スケジュール管理部３１０は事前に設定されたイベント情報を元に通信時のスケジュールを管理し、イベントが発生した場合、イベント情報を出力する。
【００４２】
スケジュール管理部３１０は、入力部３１１、記憶部３１２、時刻管理部３１３、検出部３１４を備える。
【００４３】
入力部３１１は、イベント情報を入力し、記憶部３１２へ記憶する。入力部３１１は、イベント情報に含まれるイベント発生時刻より所定の時間前の時刻を事前通知時刻として記憶部３１２へ記憶する。
【００４４】
記憶部３１２は、イベント情報と事前通知時刻とを記憶する記憶領域である。
【００４５】
現在時間管理部３１３は、現在時刻を管理する。
【００４６】
検出部３１４は、現在時間管理部３１３が管理する現在時刻と、イベント発生時刻と、事前通知時刻とを比較し、現在時刻が事前通知時刻になった場合あるいは現在時刻がイベント発生時刻を過ぎた場合、情報通知部１２０へ超過情報を通知する。超過情報は、現在時刻が事前通知時刻になった場合、イベント発生までの時間が所定の時間内であることを通知するイベント通知情報を通知し、現在時刻がイベント発生時刻を過ぎた場合、通信断情報を通知する。
【００４７】
次いで、上記構成を有する通信端末装置３００の動作について、図６に示すフロー図を用いて説明する。図６は、本実施の形態の通信端末装置の動作の一例を示す図である。この動作は、設定値の入力動作によって開始する例を示している。
【００４８】
まず、ステップ（以下、「ＳＴ」と省略する）ＳＴ８０１で事前にイベント情報が設定される。すなわち、入力部３１１がイベント情報を受けつける。その後、ＳＴ８０２にて通信が開始されると、ＳＴ８０３にてスケジュール管理部３１０の検出部３１４によって、イベント時刻監視が行われる。
【００４９】
ＳＴ８０４で、検出部３１４は、イベント情報を監視し、イベント時刻になった場合、情報通知部１２０へイベント通知情報あるいは通信断情報を情報通知部１２０へ出力する。ＳＴ８０５で、情報通知部１２０は、受信したイベント通知情報あるいは通信断情報を音／振動／文字／発光により装置利用者に通知する。またＳＴ８０６にて、情報通知部１２０は、通信断情報を受信した場合（イベント時刻の超過が発生した場合）、通信切断部へ通信断情報を送信する。ＳＴ８０７で、通信切断部１３０は、受信した通信断情報を基に通信を切断する。
【００５０】
この構成によれば、装置利用者がイベント情報を設定することで、通信時イベント情報をリアルタイムに認識することが可能となり、通信中にイベントが経過してしまうことを防止できる。また、誤操作等による利用者の意図しない通信を自動切断することが可能となる。例えば、「２００４年０８月０３日、１５：３０  打合せ」というイベント情報であり、事前通知時刻が１５：２０と設定された場合、１５：２０に、「２００４年０８月０３日、１５：３０  打合せ」という情報が装置利用者に通知され（音／振動／発光等、文字によらない場合は異なる）、１５：３０を経過すると、通信が自動的に切断される。さらに任意に通信断料金もしくは通信断時間もしくはイベント情報を設定しておくことで、誤操作等による利用者の意図しない通信を自動切断することが可能となる。
【００５１】
なお、本実施の形態では、事前通知時刻は、入力部３１１において、イベント発生時刻の所定の時間前を算出したが、入力部３１１が装置利用者から事前通知時刻の入力を受けつけてもよい。入力部３１１は、受けつけた事前通知時刻を記憶部３１２へ記憶する。このようにすれば、装置利用者がイベント発生を事前に通知される時間をイベントにあわせて設定することができ、よりきめ細やかなスケジュール管理が可能になる。
【００５２】
（実施の形態４）
実施の形態４では、実施の形態１から実施の形態３の通信端末装置が備える機能をあわせた通信端末装置について説明する。図７は、本発明の実施の形態４に係る通信端末装置４００の構成を示すブロック図である。図１，図３，図５と同じ符号をつけたものは、同じ名称、同様の機能を有するため、説明を省略する。また、通信時間計算部１１０、通信料金計算部２１０、スケジュール管理部３１０それぞれが備える構成要素は、図７では、省略しているが、同様の構成要素を有するものとする。通信切断部４３０は、装置利用者からの入力を受けつける点が図１とは異なるがその他の点は、図１と同様である。また、この実施の形態では、設定値は、通知時間間隔と通信断時間間隔、あるいは、通知料金間隔と通信断料金間隔が含まれる。また、イベント情報は、実施の形態３と同様である。
【００５３】
通信端末装置４００の動作について、図８に示すフロー図を用いて説明する。図８は、本実施の形態の通信端末装置４００の動作の一例を示すフロー図である。この動作は、設定値の入力動作によって開始する例を示している。また、以下の説明では、実施の形態１から実施の形態３で説明した動作については省略して説明する。
【００５４】
まず、ステップ（以下、「ＳＴ」と省略する）ＳＴ９０１通信中でない場合、ＳＴ９０２にて事前に設定値、イベント情報が設定される。設定値、イベント情報は、いずれか一つあるいは複数のいずれであってもよい。設定値あるいはイベント情報が設定されてない場合は、検出部１１４、２１４、３１４において、それぞれ判断して動作を実施しない。
【００５５】
その後、ＳＴ９０３にて通信が開始されると、ＳＴ９０５にて通信時間計算部１１０では通信時間計測を、通信料金計算部２１０では通信料金計測を、スケジュール管理部３１０ではイベント時刻監視が行われる。ＳＴ９０１通信中である場合、ＳＴ９０４にて通信中に設定値、イベント情報が設定される。その後、ＳＴ９０５にて通信時間計算部１１０では通信時間計測を、通信料金計算部２１０では通信料金計測を、スケジュール管理部３１０ではイベント時刻監視が行われる。
【００５６】
ＳＴ９０６で、通信時間計算部１１０、通信料金計算部２１０、スケジュール管理部３１０それぞれで、時間超過、料金超過、イベント時刻発生を監視し、時間／料金超過、イベント時刻が発生した場合、それぞれの超過情報を情報通知部１２０へ出力する。超過情報の詳細については、実施の形態１から実施の形態３で説明したため省略する。
【００５７】
ＳＴ９０７で、情報通知部１２０は、受信した超過情報を音／振動／文字／発光により装置利用者に通知する。またＳＴ９０８にて、情報通知部１２０は、通信断情報を受信した場合、通信切断部４３０へ出力する。通信断情報を受信した場合は、通信断時間間隔の超過、通信断料金間隔の超過、イベント時刻超過のいずれかの場合が含まれる。
【００５８】
ＳＴ９０９で、通信切断部４３０は、一定時間内に通信継続設定が入力された場合、ＳＴ９１０にて通信を継続する。一定時間内に通信継続設定が入力されない場合、通信切断部４３０は、ＳＴ９１１にて通信を自動切断する。
【００５９】
この構成によれば、装置利用者が通知通信料金もしくは通知通信時間を通信中に設定することで、通信時間／料金を使用条件下に応じて管理しやすくなる。また、事前に入力されたスケジュールを管理することにより、通信時イベント情報をリアルタイムに認識することが可能となり、通信中にイベントが経過してしまうことを防止できる。さらに事前に通信断料金もしくは通信断時間もしくはイベント情報を設定しておくことで、誤操作等による利用者の意図しない通信を自動切断することが可能となり、装置利用者により通信継続／切断の選択が可能となる。
【００６０】
（実施の形態５）
この実施の形態では、上記各実施の形態の制御について説明する。上記各実施の形態において、図１、図３、図５には、明記していないが、通信端末装置は、ＣＰＵ（Central Processing Unit）、表示部、記憶領域、通信部等を備える。また、通信機能については、説明を省略している。
【００６１】
ＣＰＵは、図１、図３、図５に示した各機能を制御し、例えば、設定値、イベント情報の入力を検出すると、各処理を実行させる。また、上記各実施の形態では、明示していないが、通知時間間隔／通信断時間間隔／通知料金間隔／通信断料金間隔／イベント情報を基に通信時の時間／料金／イベントを管理し、制御テーブルを用いて時間／料金超過やイベント発生を監視するスケジューラを備え、スケジューラはＣＰＵの制御の基に動作する。
【００６２】
また、情報通知部１２０は、表示画面へ情報を表示する場合がある。また、入力部は、設定値、イベント情報の入力を促す画面を表示部へ表示し、装置利用者へ入力を促す。通信端末装置が有する各機能は、ＣＰＵの制御の基で動作する。通信部は、音声通話あるいはデータ通信を行う。
【００６３】
また、入力部は、設定値、イベント情報の入力を促す画面を表示部へ表示し、装置利用者へ入力を促す。通信端末装置が有する各機能は、ＣＰＵの制御の基で動作する。通信部は、音声通話あるいはデータ通信を行う。
【００６４】
また、上記各実施の形態では、通信端末装置が有する各機能は、ハードウェア、ソフトウェア、あるいは、ソフトウェアとハードウェアとの組み合わせによって実現することが可能である。また、通信端末装置が有する各機能は、コンピュータ上で動作するプログラムによって実現することも可能である。プログラムは、コンピュータ内の記憶領域へロードされ、ＣＰＵの制御の基で実行される。
【００６５】
このように、本発明の通信端末装置および通信管理方法によれば、装置利用者が通知通信料金もしくは通知通信時間を通信中に設定することで、通信時間／料金を使用条件下に応じて管理しやすくなる。また、事前に入力されたスケジュールを管理することにより、通信時イベント情報をリアルタイムに認識することが可能となり、通信中にイベントが経過してしまうことを防止できる。さらに任意に通信断料金もしくは通信断時間もしくはイベント情報を設定することで、誤操作等による利用者の意図しない通信を自動切断することが可能となり、装置利用者により通信継続／切断の選択も可能となる。
【００６６】
なお、上記各実施の形態の通信端末装置は、有線、無線通信のいずれでもかまわない。また、装置自体の移動の可否にかかわらず、本発明を適用することが可能である。
【産業上の利用可能性】
【００６７】
本発明に係る通信端末装置及び通信管理方法は、通信時間、通信料金並びにイベント情報を管理することが可能であり、特に、通信中に、設定値、イベント情報を入力できることから、固定されている通信端末のみならず、携帯する通信端末に適用して、日常のスケジュール管理に用いるのに好適である。
【図面の簡単な説明】
【００６８】
【図１】本発明の実施の形態１に係る通信端末装置の構成を示すブロック図
【図２】本実施の形態の通信端末装置の動作の一例を示す図
【図３】本発明の実施の形態２に係る通信端末装置の構成を示すブロック図
【図４】本実施の形態の通信端末装置の動作の一例を示す図
【図５】本発明の実施の形態３に係る通信端末装置の構成を示すブロック図
【図６】本実施の形態の通信端末装置の動作の一例を示す図
【図７】本発明の実施の形態４に係る通信端末装置の構成を示すブロック図
【図８】実施の形態４の通信端末装置の動作の一例を示す図
【符号の説明】
【００６９】
１００、２００、３００、４００  通信端末装置
１１０  通信時間計算部
１１１、２１１、３１１  入力部
１１２、２１２、３１２  記憶部
１１３、２１３  計測部
１１４、２１４、３１４  検出部
１２０  情報通知部
１３０、４３０  通信切断部
２１０  通信料金計算部
３１０  スケジュール管理部
３１３  現在時刻管理部
【図１】
2006074494.tif 000003
【図２】
2006074494.tif 000004
【図３】
2006074494.tif 000005
【図４】
2006074494.tif 000006
【図５】
2006074494.tif 000007
【図６】
2006074494.tif 000008
【図７】
2006074494.tif 000009
【図８】
2006074494.tif 000010